(57)【要約】【課題】  １個のクリップで１つ乃至複数の被結束材を狭持できる結束クリップであり、簡単な形状で機械的強度が強く、さらに安価で再利用が可能な結束クリップを提供すること。【解決手段】  対向する一対の脚片１２、１２ａを有するほぼＵ字状部材１１を用い、このＵ字状部材１１の底部１２ｃから所定間隔毎に一対の脚片１２、１２ａを束ねて捻ることによりＮ個（Ｎ≧２）の交差部１２１、１２２を形成し、各交差部１２１、１２２の間に被結束材収容部１４、Ｎ番目の交差部と該脚片端部１２０、１２ａ０との間に被結束材挿入部１５がそれぞれ形成されている。【選択図】      図１
2005067663.tif 000002
【特許請求の範囲】
【請求項１】
対向する一対の脚片を有するほぼＵ字状部材を用い、該Ｕ字状部材の底部から所定間隔毎に該一対の脚片を束ねて捻ることによりＮ個（Ｎ≧２）の交差部を形成し、該各交差部の間に被結束材収容部、Ｎ番目の交差部と該脚片端部との間に被結束材挿入部をそれぞれ形成したことを特徴とする結束クリップ。
【請求項２】
前記被結束材収容部は、同一の大きさ又は異なる大きさに形成されていることを特徴とする請求項１記載の結束クリップ。
【請求項３】
前記Ｕ字状底部と第１の交差部との間に、吊下げ環が形成されていることを特徴する請求項１又は２記載の結束クリップ。
【請求項４】
前記Ｕ字状部材は、剛性のある金属線で形成されていることを特徴とする請求項１〜３のいずれか１項記載の結束クリップ。
【請求項５】
前記金属線は、その表面が樹脂被膜で覆われていることを特徴とする請求項４記載の結束クリップ。
【請求項６】
ジグザグ形状に屈曲した細片からなる一対のクリップ片を用い、該クリップ片の一方を反転させて、ジグザグ状の対向する各辺を互い違いに交差させてＮ個（Ｎ≧２）の交差部を形成し、第１の交差部は連結し、他の交差部の間に（Ｎ−１）個の被結束材収容部、Ｎ番目の交差部と該クリップ片端部との間に被結束材挿入部を形成したことを特徴とする結束クリップ。
【請求項７】
前記ジグザグ形状の屈曲は、ほぼ斜体Ｎ字状、Ｗ字状、Ｖ字状、湾曲状をしていることを特徴とする請求項６記載の結束クリップ。
【請求項８】
前記被結束材収容部は、同一の大きさ又は異なる大きさに形成されていることを特徴とする請求項６又は７記載の結束クリップ。
【請求項９】
前記第１、第２の交差部間に、吊下げ環が形成されていることを特徴とする請求項６〜８のいずれか１項記載の結束クリップ。
【請求項１０】
前記クリップ片は、樹脂製帯状片であることを特徴とする請求項６〜９のいずれか１項記載の結束クリップ。
【発明の詳細な説明】
【技術分野】
【０００１】
本発明は、結束クリップに係り、より詳しくは樹脂フィルム、ネット、布等からなる柔軟な包装袋の袋口を挟持して封をする結束クリップに関する。
【背景技術】
【０００２】
これまで、樹脂フィルム或いはネット等からなる柔軟な包装袋（以下、袋体と言う）の袋口を挟持ないし結束して封をするクリップは、多種多様のものが開発・製品化され、市場に多く出回り、多くのユーザーに使用されている。また、これらのクリップに関しても、多くの発明、考案がなされ特許公報で紹介されている。（下記特許文献１、２参照）。
例えば、パンなどの食品を包装する袋体の樹脂製止め具は、例えば下記特許文献１に記載されている。図８は、この特許文献１に記載された樹脂製止め具を示す外観斜視図である。
【０００３】
この樹脂製止め具は、柔軟な袋体Ｂの袋口ｂに外嵌可能なＣ字形状の止め具本体１と、この止め具本体１の両端部に一体連設され、相互の間隔が先端にゆくほど漸次大きくなるようにそれぞれ部分円弧状に湾曲された一対の係合片部２Ａ、２Ｂと、これら一対の湾曲係合片部２Ａ、２Ｂの先端に連設された球状頭部３Ａ、３Ｂとを備え、一対の湾曲係合片部２Ａ、２Ｂの基端部分に互いに嵌り合う凹溝４Ａ、４Ｂが形成されたものである。
この樹脂製止め具１は、一対の球状頭部３Ａ、３Ｂに手指の親指と人差し指とを押し当てて、それら一対の球状頭部３Ａ、３Ｂの位置が互いに入れ替わるように弾性に抗して捻り操作することによって、一対の湾曲係合片部２Ａ、２Ｂ同士を、それらの基端部分および先端部分が互いに交差した状態に係合保持させて、包装袋Ｂの袋口ｂを結束して封止するものである。
嵌り合う凹溝４Ａ、４Ｂは、止め具１の捻り操作によって交差状に係合された一対の湾曲係合片２Ａ、２Ｂ同士が非係合姿勢への戻りを強化する戻り強化部として機能し、手荒い扱いをしても、止め具１が袋口ｂから外れるのを防止している。
【０００４】
また、袋体を吊り下げ部材（杆、フック等）に吊下げることができるようにした結束クリップも、例えば下記特許文献２で紹介されている。図９は、この特許文献２に記載された結束クリップを示す平面図である。
この結束クリップ５は、一対の脚片６、６の先端近傍にそれぞれ係合孔７、７が形成され、各脚片６、６を重ね合わせてダボ９ａを形成し、２つの係合孔７、７が重なった重合部８に吊下げ孔９を形成したものである。
【０００５】
【特許文献１】特開平１０−１３９０１６号公報（図５、図６、第３頁右欄）
【特許文献２】特開２００１−２０９３号公報（図３、第２頁左欄〜同頁右欄）
【発明の開示】
【発明が解決しようとする課題】
【０００６】
しかしながら、上記止め具および結束クリップは、いずれも機械的な可動部分を有し、薄板の樹脂製であることから、機械的強度に限界があり、重量物或は液状物を収容した袋体を液漏れしないように封止することが難しい。
また、最近、店頭では、１つの袋にお菓子を詰め、別の袋にオマケを詰めて、これらをセットにして陳列・販売しているものがみられるが、これらの袋体は別々の止め具で封止されており、これらの止め具は、詰め物の大きさ、重さ或いは種類等によって、サイズ、或いは種類の異なるものが使用されている。このため、予め過不足なく多くの種類の止め具を用意しておかなければならず、そのための在庫管理が面倒になっている。さらに、複数の袋体を纏めてセットにするには、他の結束具、例えば紐、ゴム輪等を用いて複数の袋体を結束しており、これまで１個のクリップで複数の袋体を結束できるものがなかった。
さらに、上記止め具および結束クリップは、いずれも形状が複雑で素材を単に屈曲等する機械加工では製作できず、特殊な成型機によらなければならず、そのための設備が必要となっている。さらにまた、この種のクリップは、殆ど再利用されることがないため、資源の無駄にもなっていた。
【０００７】
本発明は、上記の問題点に鑑みてなされたもので、本発明の第１の目的は、簡単な形状で機械的強度が強い安価で再利用ができる結束クリップを提供することにある。
【０００８】
第２の目的は、１個のクリップで１つ乃至複数の被結束材を挟持できるようにした結束クリップを提供することにある。
【０００９】
第３の目的は、上記第１、第２の目的に加え、吊下げができるようにした結束クリップを提供することにある。
【課題を解決するための手段】
【００１０】
請求項１の発明に係る結束クリップは、対向する一対の脚片を有するほぼＵ字状部材を用い、該Ｕ字状部材の底部から所定間隔毎に該一対の脚片を束ねて捻ることによりＮ個（Ｎ≧２）の交差部を形成し、該各交差部の間に被結束材収容部、Ｎ番目の交差部と該脚片端部との間に被結束材挿入部をそれぞれ形成したことを特徴とする。
【００１１】
請求項２の発明は、請求項１の結束クリップにおいて、前記被結束材収容部は、同一の大きさ又は異なる大きさに形成されていることを特徴とする。
【００１２】
請求項３の発明は、請求項１又は２の結束クリップにおいて、前記Ｕ字状底部と第１の交差部との間に、吊下げ環が形成されていることを特徴する。
【００１３】
請求項４の発明は、請求項１〜３のいずれかの結束クリップにおいて、前記Ｕ字状部材は、剛性のある金属線で形成されていることを特徴とする。
【００１４】
請求項５の発明は、請求項４の結束クリップにおいて、前記金属線は、その表面が樹脂被膜で覆われていることを特徴とする。
【００１５】
請求項６の発明に係る結束クリップは、ジグザグ形状に屈曲した細片からなる一対のクリップ片を用い、該クリップ片の一方を反転させて、ジグザグ状の対向する各辺を互い違いに交差させてＮ個（Ｎ≧２）の交差部を形成し、第１の交差部は連結し、他の交差部の間に（Ｎ−１）個の被結束材収容部、Ｎ番目の交差部と該クリップ片端部との間に被結束材挿入部を形成したことを特徴とする。
【００１６】
請求項７の発明は、請求項６の結束クリップにおいて、前記ジグザグ形状の屈曲は、ほぼ斜体Ｎ字、Ｗ字、Ｖ字、湾曲状であることを特徴とする。
【００１７】
請求項８の発明は、請求項６又は７の結束クリップにおいて、前記被結束材収容部は、同一の大きさ又は異なる大きさに形成し、１又は複数の袋体を結束できるようになっていることを特徴とする。
【００１８】
請求項９の発明は、請求項６〜８のいずれかの結束クリップにおいて、前記第１、第２の交差部間に、吊下げ環が形成されていることを特徴する。
【００１９】
請求項１０の発明は、請求項６〜９のいずれかの結束クリップにおいて、前記クリップ片は、樹脂製帯状片であることを特徴とする。
【発明の効果】
【００２０】
請求項１の発明によれば、Ｕ字状部材の脚片を捻って互い違いに交差することによって生じる弾性力によって、被結束材、例えば袋体の袋口を挟持して封をすることができる。その結果、機械的に可動する部分がないので、複数回の使用によっても破損する箇所がなく、寿命が長くなる。また、機械的な強度が強いので、１個の被結束材収容部に１つの被結束材のみならず、複数の被結束材を同時に結束することができる。さらに、１個乃至複数個の被結束材収容部のそれぞれに、１つの被結束材のみならず、複数の被結束材を同時に結束することができるので、多種多用な用途への使用が可能になる。したがって、このクリップは、重量物或いは液状物を詰めた袋体に使用しても、液漏れしないように封止することができる。ちなみに、この結束クリップは、袋体に限定されず、シート状のものを束ねたもの、或いは柔軟性のある部材を束ねたものにも使用でき、さらにまた、Ｕ字状部材を使用するので使用材料が少なく、Ｕ字状部材の脚片を捻ることにより形成できるので、機械加工も簡単で製作コストが安価なる。
【００２１】
請求項２の発明によれば、請求項１の効果に加えて、被結束材収容部を複数個備え、それらの被結束材収容部を同一の大きさ又は異なる大きさに形成することにより、それぞれの被結束材収容部に同一種類の被結束材、或は異なる種類の被結束材、さらにはこれらを組み合わせた１個乃至複数個の被結束材の結束ができるので、さらに多種多用な使用形態での使用が可能になる。
【００２２】
請求項３の発明によれば、請求項１、２の効果に加えて、このクリップを吊下げ部材、例えば杆あるいはフック等に吊り下げて、１個乃至複数個の被結束材を吊下げることができる。つまり、これまでのクリップでは、封をした被結束材は棚等に載置しかできなかったものが、このクリップを使用することにより、吊下げ陳列ができる。
【００２３】
請求項４の発明によれば、また、耐久性のあるクリップを簡単かつ安価に作製できる。
【００２４】
請求項５の発明によれば、また、金属線の表面に樹脂被膜を形成することにより、樹脂被膜の滑らかさを利用して被結束材をスムーズに袋口の挿入部から挿入でき、また、柔軟性を利用してソフトに被結束材を結束することができ、さらには、被結束材を損傷することなく結束して封をすることができる。
【００２５】
請求項６の発明によれば、一対のクリップ片を互い違いに交差することによって生じる弾性力によって、被結束材、例えば袋体の袋口を挟持して封止することができる。
その結果、機械的に可動する部分がないので、複数回の使用によっても破損する箇所がなく、寿命が長くなる。また、機械的な強度が強いので、１個の被結束材収容部に１つの被結束材のみならず、複数の被結束材を同時に結束することができる。さらに、１個乃至複数個の被結束材収容部のそれぞれに、１つの被結束材のみならず、複数の被結束材を同時に結束することができるので、多種多用な用途への使用が可能になる。したがって、このクリップは、重量物或いは液状物を詰めた袋体に使用しても、液漏れしないように封止することができる。また、クリップ片は単純な形状であるので機械加工も簡単で製作コストを安価できる。ちなみに、さらに、この結束クリップは、袋体に限定されず、シート状のものを束ねたもの、或いは柔軟性のある部材を束ねたものにも使用できる。
【００２６】
請求項７の発明によれば、クリップ片の形状を斜体Ｎ字状、Ｗ字状、Ｖ字状、湾曲状にすることにより、被結束材収容部の形状が斜体Ｎ字状、Ｗ字状、Ｖ字状、湾曲状の形状の応じて、それぞれ特有の形状に形成されるので、この形状に合わせた被結束材の結束を行うことができる。
【００２７】
請求項８の発明によれば、請求項６、７の効果に加えて、被結束材収容部を複数個備え、それらの被結束材収容部を同一の大きさ又は異なる大きさに形成することにより、それぞれの被結束材収容部に同一種類の被結束材、或は異なる種類の被結束材、さらにはこれらを組み合わせた１個乃至複数個の被結束材の結束ができるので、さらに多種多用な使用形態での使用が可能になる。
【００２８】
請求項９の発明によれば、請求項６〜８の効果に加えて、このクリップを吊下げ部材、例えば杆あるいはフック等に吊り下げて、１個乃至複数個の被結束材を吊下げることができる。つまり、これまでのクリップでは、封をした被結束材は棚等に載置しかできなかったものが、このクリップを使用することにより、吊下げ陳列ができる。
【００２９】
請求項１０の発明によれば、また、耐久性のあるクリップを簡単かつ安価に作製できる。
【発明を実施するための最良の形態】
【００３０】
以下、図面を参照して、本発明の最良の実施形態を説明する。但し、以下に示す実施形態は、本発明の技術思想を具体化するための結束クリップを例示するものであって、本発明をこの結束クリップに特定することを意図するものではなく、特許請求の範囲に含まれるその他の実施形態のものも等しく適用し得るものである。図１は、本発明の一実施形態の結束クリップを示し、同図（ａ）は平面図、同図（ｂ）は側面図であり、図２は結束クリップを用いて袋体の袋口を挟持し封止した状態を示す斜視図であり、図３は複数の袋体を吊り下げ部材に吊下げた状態を示す斜視図である。
【実施例１】
【００３１】
結束クリップ１０は、図１に示すように、対向する一対の脚片１２、１２ａを有するほぼＵ字状部材１１を用い、このＵ字状部材の底部１２ｃから所定間隔毎に交差するように脚片１２、１２ａを束ねて捻ることによって第１、第２の交差部１２１、１２２を形成し、第１、第２の交差部１２１、１２２間に被結束材収容部１４、第２の交差部１２２と各脚片１２、１２ａの端部１２０、１２ａ０間に被結束材挿入部１５をそれぞれ形成した構成を有する。
【００３２】
上記所定間隔、すなわちＵ字状部材の底部１２ｃから第１の交差部１２１間の距離は、クリップの用途によって異なるが、数ミリから数十ミリの長さであり、また、第１の交差部１２１から第２の交差部１２２の間の距離は、被結束材を収容して挟持する部分であることから、この距離は被結束材、例えば袋体の場合は、その種類、例えばフィルム或いはネット等の薄材によって形成された袋体の場合は、数ミリから数十ミリ、布製等の比較的肉厚材で形成された袋体の場合は、それ以上の長さにし、これらの距離は、クリップの用途に応じて、最適な長さに選定される。
【００３３】
第１、第２の交差部１２１、１２２は、互い違いに交差されている。すなわち、第１の交差部１２１において、例えば一方の脚片１２が他の脚片１２ａの上方に位置するとき、第２の交差部１２２では、反対に他方の脚片１２ａが一方の脚片１２の上方に位置するようになっており、また、逆に、第１の交差部１２１において、一方の脚片１２が他の脚片１２ａの下方に位置するとき、第２の交差部１２２では、反対に他方の脚片１２ａが一方の脚片１２の下方に位置するようになっている。このように第１、第２の交差部１２１、１２２が互い違いに交差することにより、この間に形成される被結束材収容部１４に所定の弾性力が生じ、この収容部１４に被結束材が収容されたとき被結束材はこの弾性力によって挟持される。
Ｕ字状部材１１は、棒状乃至線状体で形成される。棒状体を用いる場合は、比較的太い金属線を屈曲することによって形成される。金属線の太さは、例えば２〜５ｍｍであり、特に２〜３ｍｍが好ましい。
【００３４】
被結束材収容部１４は、第１、第２の交差部１２１、１２２間にあって、一対の脚片１２、１２ａ間の狭い隙間で形成され、この隙間も、第１、第２の交差部１２１、１２２間の長さと同様に、被結束材の種類、例えば袋体の場合は、その種類によって、隙間の間隔を異ならせる。例えば、布材からなる袋体の袋口を挟持して封をする場合は、布材がフィルムからなる袋体に比べて、通常肉厚であって、結束するとそれらが重なりあって太くなるので、隙間の間隔は広めに形成され、逆に、フィルム、ネット等の薄肉材からなる袋体の場合は、その隙間は狭く形成される。
この隙間は、通常、１つの被結束材が挟持される間隙になっているが、この隙間は第１、第２の交差部１２１、１２２が互い違いの交差によって形成され、第２の交差部１２２の交差部分が外れないかぎり隙間の弾性力を保持できるので、複数の被結束材をも同時に挟持することができる。
【００３５】
また、各脚片１２、１２ａの端部には、被結束材挿入部１５が形成される。この被結束材挿入部１５は、第２の交差部１２２を基点にして端部１２０、１２ａ０を互いに離れる方向へ広げることによって形成される。被結束材挿入部１５を設けることより、被結束材を被結束材収容部１４へ挿入することが容易になる。
さらに、上記Ｕ字状底部１２ｃと第１の交差部１２１との間には、所定の大きさを有する吊下げ環１３が形成される。この吊下げ環１３を設けることにより、吊り下げ部材、例えば、杆、フック等に吊下げることができるようになる。その大きさは、吊り下げ部材に挿通できる大きさに形成される。
【００３６】
図２を参照すると、この結束クリップ１０で被結束材、例えば、袋体の袋口を挟持するには、収容物を詰めた袋体３０の袋口３１の近傍を束ねて、この束ねた部分３２をクリップ１０の被結束材挿入口１５から挿入して、第２の交差部１２２を通過させる。すると、この交差部１２２は、脚片１２、１２ａが捻られて互いに接触しているので、この束ねた部分３２は各脚片１２、１２ａに沿って弾性に抗して、各脚片の接触を離しながら交差部を通過される。次いで、束ねた部分３２が第２の交差部１２２を通過して、結束材収容部１４内に収容されると、袋口の近傍部分は、一対の脚片１２、１２ａ間の狭い隙間に挟持されて封止される。
被結束材収容部１４には、第１の袋体３０だけでなく、第２の袋体３５を収容し、袋口３６の束ねた部分３７を挟持して封止することもできる。その収容方法は、袋体３０と同じである。このように被結束材収容部１４には、２個以上の袋体を収容することもできる。
【００３７】
この結束クリップ１０は、袋体だけでなく、他の被結束材、例えば、柔軟性を有するシート状のものを束ねたもの、或いは柔軟性のある部材を束ねたものにも使用できる。
また、結束クリップ１０の吊下げ環１３を利用して、図３に示すように、吊り下げ部材４０に吊下げることもできる。
【００３８】
図４は、他の実施形態の結束クリップを示す平面図であって、この結束クリップ１０Ａは、図１の結束クリップ１０とＵ字状部材１１の表面を樹脂材１６で被覆されたものである。他の構成は結束クリップ１０と同じであるので、同一符号を付して、その説明を省略する。
Ｕ字状部材１１の表面に樹脂被膜を形成することにより、樹脂被膜の滑らかさを利用して包体をスムーズに袋口の挿入部から挿入でき、また、柔軟性を利用してソフトに袋口を結束することができ、さらには、包体を損傷することなく結束して封をすることができる。
【００３９】
図５は、さらに他の実施形態の結束クリップを示す平面図であって、この結束クリップ１０Ｂは、図１の結束クリップ１０の各脚片の端部１２０、１２ａ０に球状頭部１７、１７ａが形成されたものである。他の構成は結束クリップ１０、１０Ａと同じであるので、同一符号を付して、その説明を省略する。
各脚片の端部１２０、１２ａ０に球状頭部１７、１７ａを設けることにより、端部１２０、１２ａ０の角張りがなくなり、他のものに接触した際に傷等をつけることがなく、扱いが容易になる。また、デザイン的にもよくなる。
【００４０】
上記の各結束クリップ１０〜１０Ｂは、被結束材収容部１４を１箇所形成したものであったが、複数個の被結束材収容部を形成することもできる。図６は、複数個の被結束材収容部を形成した結束クリップを示す平面図である。
この結束クリップ１０Ｃは、対向する一対の脚片１２、１２ａを有するほぼＵ字状部材１１を用い、このＵ字状の底部から所定間隔毎に脚片を束ねて捻ることによりＮ個（Ｎ≧２）の交差部１２１、１２２、１２３〜１２ｎ、及び各交差部の間に複数個の被結束材収容部１４１、１４２〜１４ｎ−１を形成し、Ｎ番目の交差部１２ｎと端部１２０、１２ａ０との間に被結束材挿入部１５を形成したものである。
各被結束材収容部１４１、１４２〜１４ｎ−１は、それぞれの大きさが同一又は異なる大きさに形成され、  このように被結束材収容部を大きさが同一又は異なるものにすることにより、複数個の被結束材収容部１４１、１４２〜１４ｎ−１に、それぞれ１つ乃至複数個の同一サイズ或いはサイズの異なる被結束材を纏めて挟持することができるので、種々の形態の異なる使用が可能になる。この結束クリップ１０Ｃの使用方法は、結束クリップ１０〜１０Ｂと同じであるので説明を省略する。
【実施例２】
【００４１】
上記結束クリップ１０〜１０Ｃは、１本の棒状乃至線状体で形成されるが、別々のクリップ片を用いて形成することもできる。
図７は、別々のクリップ片を用いて作製した結束クリップを示し、同図（ａ）は一対のクリップ片の平面図、同図（ｂ）は一対のクリップ片を組み合わせた平面図、同図（ｃ）は結束クリップの平面図である。
【００４２】
結束クリップ２０は、ジグザグ状に屈曲した細片からなる一対のクリップ片２１、２１ａで形成される。一対のクリップ片２１、２１ａは、ジグザグ状、例えばほぼW字状の凹凸を有するジグザグ状細片からなり、このW字状の細片は、それぞれ斜めの傾斜片２１１〜２１ｎ、２１ａ１〜２１ａｎを有している。
結束クリップ２０の作製は、この一対のクリップ片２１、２１ａを用い、一方のクリップ片２１ａを反転させて、図（ａ）に示す矢印方向から互いに近づけ、組み合わせ、対向する各傾斜片２１１と２１ａ１、２１２と２１ａ２、２１３と２１ａ３、２１４と２１ａ４、２１ｎと２１ａｎとを互い違いに交差させてＮ個(Ｎ≧２)の交差部２２１〜２２ｎを形成する。
第１の交差部２２１は、固着手段を用いて連結し、必要に応じて、先端部２１ａ０、２１１０を連結部付近から切断或は折り曲げる。また、他の交差部２２２〜２２ｎとの間に（Ｎ−１）個の被結束材収容部２３２〜２３ｎ−１、Ｎ番目の交差部２２ｎと端部２１ａx、２１１xとの間に被結束材挿入部２４を形成する。
【００４３】
上記第１、第２の交差部２２１と２２２間の被結束材収容部２３１を吊下げ環として利用する。また、クリップ片は、樹脂製帯状片であることが好ましい。
【００４４】
各被結束材収容部２３２、２３３〜２３ｎ−１は、その１つの被結束材収容部は、図１のクリップ１０の被結束材収容部１４と同じように袋体の種類によって異なる大きさに形成されるが、このクリップ２０は、このような被結束材収容部を複数個有し、各被結束材収容部の大きさが同一又は異なる大きさに形成される。
このように被結束材収容部を大きさが同一又は異なるものにすることにより、複数個の被結束材収容部に、それぞれ１つ乃至複数個の同一サイズ或いはサイズの異なる袋体を纏めて結束することができるので、種々の形態の異なる使用が可能になる。この結束クリップ２０の使用方法は、結束クリップ１０〜１０Ｃと同じであるので説明を省略する。
【００４５】
クリップ片２１、２１ａのジグザグ形状は、W字状だけでなく、斜体Ｎ字状、Ｖ字状、湾曲状であってもよい。クリップ片の形状を斜体Ｎ字状、Ｗ字状、Ｖ字状、湾曲状にすることにより、被結束材収容部の形状が斜体Ｎ字状、Ｗ字状、Ｖ字状、湾曲状の形状の応じて、それぞれ特有の形状に形成されるので、この形状に合わせた被結束材の結束を行うことができる。
【図面の簡単な説明】
【００４６】
【図１】本発明の一実施形態の結束クリップを示し、同図（ａ）は平面図、同図（ｂ）は側面図
【図２】結束クリップを用いて袋体の袋口を挟持し封止した状態を示す斜視図
【図３】複数の袋体を吊り下げ部材に吊下げた状態を示す斜視図
【図４】他の実施形態の結束クリップを示す平面図
【図５】さらに他の実施形態の結束クリップを示す平面図
【図６】複数個の被結束材収容部を形成した結束クリップを示す平面図
【図７】別々のクリップ片を用いて作製した結束クリップを示し、同図（ａ）は一対のクリップ片の平面図、同図（ｂ）は一対のクリップ片を組み合わせた平面図、同図（ｃ）は結束クリップの平面図
【図８】特許文献１に記載された樹脂製止め具を示す外観斜視図
【図９】特許文献２に記載された結束クリップを示す平面図
【符号の説明】
【００４７】
１０            結束クリップ
１１            Ｕ字状部材
１２、１２ａ    脚片
１２ｃ          （脚片の）底部
１２１、１２２      （脚片の）交差部
１２０、１２ａ０  （脚片の）端部
１３            吊下げ環
１４            被結束材収納部
１５            被結束材挿入部
３０            （第１）袋体
３１            （第１）袋口
３２            （袋体３０の）束ねた部分
３５            （第２）袋体
３６            （第２）袋口
３７            （袋体３５の）束ねた部分
１０Ｂ、１０Ｃ、２０  結束クリップ
１６            樹脂材
１７、１７ａ    球状頭部
【図１】
2005067663.tif 000003
【図２】
2005067663.tif 000004
【図３】
2005067663.tif 000005
【図４】
2005067663.tif 000006
【図５】
2005067663.tif 000007
【図６】
2005067663.tif 000008
【図７】
2005067663.tif 000009
【図８】
2005067663.tif 000010
【図９】
2005067663.tif 000011
【手続補正書】
【提出日】平成16年9月13日(2004.9.13)
【手続補正１】
【補正対象書類名】明細書
【補正対象項目名】００２０
【補正方法】変更
【補正の内容】
【００２０】
請求項１の発明によれば、Ｕ字状部材の脚片を捻って互い違いに交差することによって生じる弾性力によって、被結束材、例えば袋体の袋口を挟持して封をすることができる。その結果、機械的に可動する部分がないので、複数回の使用によっても破損する箇所がなく、寿命が長くなる。また、機械的な強度が強いので、１個の被結束材収容部に１つの被結束材のみならず、複数の被結束材を同時に結束することができる。さらに、１個乃至複数個の被結束材収容部のそれぞれに、１つの被結束材のみならず、複数の被結束材を同時に結束することができるので、多種多用な用途への使用が可能になる。したがって、このクリップは、重量物或いは液状物を詰めた袋体に使用しても、液漏れしないように封止することができる。ちなみに、この結束クリップは、袋体に限定されず、シート状のものを束ねたもの、或いは柔軟性のある部材を束ねたものにも使用でき、さらにまた、Ｕ字状部材を使用するので使用材料が少なく、Ｕ字状部材の脚片を捻ることにより形成できるので、機械加工も簡単で製作コストが安価になる。
【手続補正２】
【補正対象書類名】明細書
【補正対象項目名】００３８
【補正方法】変更
【補正の内容】
【００３８】
図４は、他の実施形態の結束クリップを示す平面図であって、この結束クリップ１０Ａは、図１の結束クリップ１０のＵ字状部材１１の表面を樹脂材１６で被覆されたものである。他の構成は結束クリップ１０と同じであるので、同一符号を付して、その説明を省略する。
Ｕ字状部材１１の表面に樹脂被膜を形成することにより、樹脂被膜の滑らかさを利用して包体をスムーズに袋口の挿入部から挿入でき、また、柔軟性を利用してソフトに袋口を結束することができ、さらには、包体を損傷することなく結束して封をすることができる。